(57)【要約】【課題】  液晶画面を有する装置において、液晶画面が故障していても入力処理を可能にする。【解決手段】  操作パネル部１１は当該装置Ａの動作形態を表示するとともに、当該表示領域へのタッチ操作による入力指示を受け付ける。操作キー群１３は、操作パネル部１１とは別に配置されその装置への入力指示を受け付ける。操作表示シート２１は、装置に対する操作項目が予め表示され、その操作パネル部領域に重ねられる。操作制御部２３は、所定の切換指示があったとき、操作パネル部１１に重ねられた操作表示シート２１における操作項目へのタッチ操作入力指示に基づき、当該操作項目を実行制御し、その後に続き操作入力された操作キー１３ａからの操作指示を実行制御する。【選択図】  図１
2012039346.tif 000002
【特許請求の範囲】
【請求項１】
当該装置の動作形態を表示するとともに、当該表示領域へのタッチ操作による入力指示を受け付ける操作パネル部と、
この操作パネル部とは別に配置され前記装置への入力指示を受け付ける複数の操作キーを有する操作キー群と、
前記装置に対する操作項目が予め表示され、前記操作パネル部領域に重ねられる操作表示シートと、
所定の切換指示があったとき、前記操作パネル部に重ねられた前記操作表示シートにおける前記操作項目へのタッチ操作入力指示に基づき、当該操作項目を実行制御するとともに、前記タッチ操作入力指示に続き操作入力された前記操作キーからの操作指示を実行制御する操作制御部と、
を具備することを特徴とする操作パネル制御装置。
【請求項２】
前記操作キー群は、前記操作パネル部に併設されたテンキーを含む請求項１記載の操作パネル制御装置。
【請求項３】
前記操作キー群への操作入力を示すキー入力音を発音する発音体を有し、前記操作制御部は、個々の前記操作キーへの操作入力に応じた意味のキー入力音を発音するよう前記発音体を発音制御する請求項１又は２項記載の操作パネル制御装置。
【請求項４】
個々の前記操作キーへの操作入力を示す発光部を有し、前記操作制御部は、操作入力された個々の前記操作キーの前記発光部を発光制御する請求項１〜３いずれか１項記載の操作パネル制御装置。
【請求項５】
前記操作制御部は、前記操作キーからの前記切換指示に応じ、これに対応する前記操作表示シートの前記操作項目への操作入力と判別する請求項１〜４いずれか１項記載の操作パネル制御装置。
【請求項６】
前記操作表示シートは、当該操作表示シートを特定する特定情報を格納したＲＦＩＤ装置を有し、前記操作制御部は、前記ＲＦＩＤ装置から前記特定情報を前記切換指示として受信したとき、当該特定情報に対応する前記操作表示シートの前記操作項目への操作入力と判別する請求項１〜４いずれか１項記載の操作パネル制御装置。
【請求項７】
前記請求項１〜６いずれか１項記載の操作パネル制御装置と、画像データを画像形成する画像形成部とを有する画像形成装置。
【発明の詳細な説明】
【技術分野】
【０００１】
本発明は操作パネル制御装置および画像形成装置に係り、例えば電子写真方式の複写機、ファクシミリ機、プリンタ又はこれらの機能を搭載した複合機（ＭＦＰ：Multi Function Peripheral）等の画像形成装置に用いて好適する操作パネル制御装置および当該画像形成装置の改良に関する。
【背景技術】
【０００２】
この種の画像形成装置にあっては、一般に、原稿上の画像情報から画像データを光学的に読み取る読取機能、その画像データに基づきトナー像を形成して用紙に転写定着させて印刷する印刷（印字）機能、画像データをファクシミリ送受信するファクシミリ機能、その他種々の画像データ処理機能を有している。
【０００３】
そして、画像形成装置では、それら諸機能の選択、設定および実行は、複合機本体ケースに配置された液晶タイプの操作パネル部に対する直接のタッチ操作やテンキー等の操作キー群に対する押圧操作によってなされるのが一般的である。
【０００４】
ところが、そのような操作パネル部は、液晶表示部に透明なタッチスイッチシート（タッチセンサ）を重ねて形成されており、動作不良が発生した場合に、正確な操作を確保し難いので、改善が求められている。
【０００５】
このような状況に対処するために、例えば特開平８−１６２９６号公報（特許文献１）に示すコントロールパネルが提案されている。
【０００６】
この特許文献１は、入力されるキーに対する表示パターンが表示されるタッチパネル内蔵の表示装置とハードキーとを有し、そのタッチパネルの機能をハードキーに割り付ける割付モードに切換える切換手段と、この切換手段により割付モードに切換えられた際、そのタッチパネルに対応するハードキーの対応関係を上記表示装置で表示する表示手段とを具備してなり、タッチパネルが故障しても、そのタッチパネルで設定する内容をテンキーで代替可能とするものである。
【０００７】
しかも、取扱い説明書等にてテンキーの割当て内容を予め開示し、これを参照して正常な入力も可能とするものではある。
【先行技術文献】
【特許文献】
【０００８】
【特許文献１】特開平８−１６２９６号公報
【発明の開示】
【発明が解決しようとする課題】
【０００９】
しかしながら、上述した特許文献１は、タッチパネルのタッチセンサが故障した場合には有効であるが、タッチセンサが正常に動作しているものの、液晶漏れ等に起因して液晶画面が故障して正常な表示がなされない場合には、正確な入力や操作を確保し難い。
【００１０】
このように、液晶画面が故障した場合、液晶画面を修理又は取替えるまでの間に多少の期間を要することから、液晶画面が故障していても、一時的にでも正常な入力処理を確保し、ユーザに不便を与え難い構成の提供が望まれている。
【００１１】
本発明はそのような課題を解決するためになされたもので、液晶画面が故障していても、入力処理が可能な操作パネル制御装置および画像形成装置の提供を目的とする。
【課題を解決するための手段】
【００１２】
そのような課題を解決するために本発明の請求項１に係る操作パネル制御装置は、当該装置の動作形態を表示するとともに、当該表示領域へのタッチ操作による入力指示を受け付ける操作パネル部と、この操作パネル部とは別に配置され前記装置への入力指示を受け付ける複数の操作キーを有する操作キー群と、当該装置に対する操作項目が予め表示され、その操作パネル部領域に重ねられる操作表示シートと、所定の切換指示があったとき、その操作パネル部に重ねられた操作表示シートにおける操作項目へのタッチ操作入力指示に基づき、当該操作項目を実行制御するとともに、そのタッチ操作入力指示に続き操作入力された操作キーからの操作指示を実行制御する操作制御部と、を具備している。
【００１３】
本発明の請求項２に係る操作パネル制御装置は、上記操作キー群がその操作パネル部に併設されたテンキーを含む構成である。
【００１４】
本発明の請求項３に係る操作パネル制御装置は、上記操作キー群への操作入力を示すキー入力音を発音する発音体を有し、上記操作制御部が、個々の操作キーへの操作入力に応じた意味のキー入力音を発音するようその発音体を発音制御する構成である。
【００１５】
本発明の請求項４に係る操作パネル制御装置は、個々のそれら操作キーへの操作入力を示す発光部を有し、上記操作制御部が、操作入力された個々の操作キーの発光部を発光制御する構成である。
【００１６】
本発明の請求項５に係る操作パネル制御装置は、上記操作制御部が、その操作キーからの切換指示に応じ、これに対応する操作表示シートの操作項目への操作入力と判別する構成である。
【００１７】
本発明の請求項６に係る操作パネル制御装置は、上記操作表示シートが、当該操作表示シートを特定する特定情報を格納したＲＦＩＤ（radio frequency identification）装置を有し、上記操作制御部が、そのＲＦＩＤ装置から特定情報を切換指示として受信したとき、当該特定情報に対応する操作表示シートの操作項目への操作入力と判別する構成である。
【００１８】
本発明の請求項７に係る画像形成装置は、それら請求項１〜７いずれか１項記載の操作パネル制御装置と、画像データを画像形成する画像形成部とを有する構成である。
【発明の効果】
【００１９】
このような本発明の請求項１に係る操作パネル制御装置では、操作項目が表示された操作表示シートが操作パネル部に重ねられた状況で、入力指示を切り換える切換指示があったとき、その操作表示シートへのタッチ操作に応じ、その操作制御部がその操作表示シートにおける対応する操作項目への操作入力と判別してこれを実行制御するから、液晶画面が故障していても、操作パネル部への所望のタッチ操作入力が可能であるし、設定値等を操作キーから入力させ易い。
【００２０】
本発明の請求項２に係る操作パネル制御装置では、上記操作キー群が、その操作パネル部に併設されたテンキーからなるので、種々の操作入力の確保が容易である。
【００２１】
本発明の請求項３に係る操作パネル制御装置では、上記操作キー群への操作入力を示すキー入力音を発音する発音体を有し、上記操作制御部が、個々の操作キーへの操作入力に応じた意味のキー入力音を発音するようその発音体を発音制御するから、操作表示シートにおける操作項目への操作入力に応じた操作結果、例えば設定値を音響的に確認可能で、使い勝手が向上する。
【００２２】
本発明の請求項４に係る操作パネル制御装置では、個々の操作キーへの操作入力を示す発光部を有し、上記操作制御部が、操作入力された個々の操作キーの発光部を発光制御するから、操作表示シートにおける操作項目への操作入力に応じた操作結果、例えば設定値を視覚的に確認可能で、使い勝手が向上する。
【００２３】
本発明の請求項５に係る操作パネル制御装置では、上記操作制御部が、その操作キーからの切換指示があったとき、その操作キーの操作に応じ操作表示シートにおける対応する操作項目への操作入力と判別するから、操作項目が単に印刷表示された操作表示シートを用いる場合にも、操作キーによって切り換え可能である。
【００２４】
本発明の請求項６に係る操作パネル制御装置は、上記操作表示シートが、当該操作表示シートを特定する切換指示として特定情報を格納したＲＦＩＤ装置を有し、上記操作制御部が、そのＲＦＩＤ装置から特定情報を受信したとき、当該特定情報に対応する操作項目への操作入力と判別するから、操作表示シートを例えば操作パネル部に載置するだけで、切換指示の入力が可能で、使い勝手が向上する。
【図面の簡単な説明】
【００２５】
【図１】本発明に係る操作パネル制御装置を含む画像形成装置の実施の形態を示す概略ブロック図である。
【図２】本発明に係る操作パネル部を説明する図である。
【図３】図１の操作表示シートを説明する図である。
【図４】図１の操作パネル制御装置の動作を説明する図である。
【図５】図１の操作パネル制御装置の動作を説明する図である。
【発明を実施するための最良の形態】
【００２６】
以下、本発明に係る操作パネル制御装置および画像形成装置の実施の形態を図面を参照して説明する。なお、本発明の操作パネル制御装置は画像形成装置を説明する過程で説明する。
【００２７】
図１は本発明に係る操作パネル制御装置Ｂを含む画像形成装置Ａの実施の一形態を示す概略ブロック図である。
【００２８】
画像形成装置Ａは、主制御部１を中心にして画像読取部３、記憶部５、印刷部７、通信部９および操作パネル制御装置Ｂを有し、例えば複合機を構成している。なお、画像形成装置Ａとしてはこれ以外にも種々の構成を有するが、本発明の要部ではないので説明および図示を省略する。
【００２９】
主制御部１は、画像読取部３、記憶部５、印刷部７、通信部９および操作パネル制御装置Ｂを制御するものであるが、詳細は後述する。
【００３０】
画像読取部３は、画像形成装置Ａの本体ケース（図示せず。）の上部に配置され、主制御部１の制御の下、原稿用紙から当該紙面の画像状態を光学的に読み込み、フィルタ処理等をして電子的画像データを生成するスキャナであり、生成した画像データが原稿の頁毎に記憶部５に順次記憶されるようになっている。
【００３１】
記憶部５は、画像読取部３からの読取画像データや通信部９を介した外部からの画像データ、主制御部１の動作プログラムおよび操作パネル制御装置Ｂで表示する表示画面、後述する音声情報や操作項目情報等を格納する読み書き可能な例えばハードディスク（ＨＤＤ）である。
【００３２】
印刷部７は、本体ケース内に配置され、用紙のセットされる給紙段から用紙を給紙し、記憶部５の記憶画像データに基づき画像形成して用紙に印刷処理する画像形成部としての機能を有している。
【００３３】
通信部９は、ネットワークＮＴを介して外部の図示しない画像形成装置やサーバー等と画像データや電子メールの送受信をする入出力インターフェースである。
【００３４】
主制御部１は、ＣＰＵ（central processing unit）、このＣＰＵの起動プログラムを格納したメモリ部、入出力インターフェース（いずれも図示せず。）を有し、上述した画像読取部３からの読取画像データを記憶部５に格納し、格納された画像データを印刷部７に出力して印刷制御し、種々の表示画面を操作パネル制御装置Ｂに出力して表示制御する他、操作パネル制御装置Ｂからの操作指示を画像読取部３および印刷部７に出力してその動作機能を実行制御する機能を有し、操作パネル制御装置Ｂを制御するとともにそれらの一部を担っている。
【００３５】
操作パネル制御装置Ｂは、操作パネル部１１、操作キー群１３、発音部１５、発光部１７、送受信部１９、操作表示シート２１および操作制御部２３を有して構成されている。なお、操作パネル制御装置Ｂとしてはこれ以外にも種々の構成を有するが、本発明の要部ではないので説明および図示を省略する。
【００３６】
操作パネル部１１は、画像形成装置Ａの動作形態を表示するとともに、その表示領域へのタッチ操作による入力指示を受け付ける機能を有し、画像形成装置Ａの本体ケースの上面に平面的に配置されたコントロールパネルである。
【００３７】
すなわち、操作パネル部１１は、図２Ａに示すように、公知の液晶表示部１１ａに対し、上下左右に配列された多数のタッチセンサからなる透明なタッチスイッチシート１１ｂを重ねて形成されており、画像形成装置Ａの主制御部１から操作制御部２３を介した制御の下、例えば画像データの取込や印刷動作を表示するとともに、タッチスイッチシート１１ｂへのタッチ操作による入力指示を受け付け、操作制御部２３に出力する機能を有している。
【００３８】
一例として、図２Ａでは、印刷部数についての部数や拡大率についての拡大％に加えて、印刷ボタン１１ｃおよび取消ボタン１１ｄが表示され、印刷ボタン１１ｃおよび取消ボタン１１ｄへの直接タッチ操作による入力を受付け、印刷部数や拡大％については後述するテンキー１３ａからの入力状態が表示されている。
【００３９】
なお、図２Ｂは、操作パネル部１１において操作パネル部１１に液漏れ領域Ｚが発生し、一部の表示である印刷部数や拡大％の表示部分が隠れ、表示困難な状態を示している。
【００４０】
操作キー群１３は、図２に示すように、操作パネル部１１とは別にこの近傍に配置され、画像形成装置Ａへの入力指示を押圧操作によって受け付ける機構的な操作キーとしての複数のテンキー１３ａを含むものであり、テンキー１３ａを形成する個々のキーへの押圧操作による入力指示を受け付け、操作制御部２３に出力する機能を有している。便宜上、テンキー１３ａ以外の操作キーの図示は省略する。
【００４１】
図２Ａに示す操作パネル部１１の印刷部数の「１１」部数や拡大率の「１３１」％は、例えば印刷ボタン１１ｃへのタッチ操作入力指示に続くテンキー１３ａへの押圧操作による入力指示に基づき、操作制御部２３が表示制御したものである。
【００４２】
テンキー１３ａは、後述するように、操作パネル部１１における入力指示について、操作指示シート２１を介した入力指示に切り換える切換指示（例えば「ＣＣＣ１１９」、「エンター」）を入力する機能にも使用される。
【００４３】
発音部１５は、操作キー群１３への操作入力を示すキー入力音を発音する例えば圧電又は電磁スピーカからなる発音体であり、操作制御部２３の制御の下、個々のテンキー１３ａへの操作入力に応じた意味内容のキー入力音を発音するものであり、操作キー群１３の外周近傍に配置されている。
【００４４】
発光部１７は、個々の操作キー１３ａその他、操作キー群１３を形成する各キーにおいて、下部から外部に向けて発光する例えば発光ダイオード等であり、操作制御部２３の制御の下、個々のテンキー１３ａへの操作入力があったとき発光し、当該キーが操作されたことを示すものである。
【００４５】
なお、この観点から、操作キー群１３のキー頭部は透過性の良好な材料で形成することが好ましく、図２においては便宜上テンキー１３ａ「３」のみの発光部１７を図示し、他のテンキー１３ａにおける発光部１７の図示を省略した。
【００４６】
送受信部１９は、操作制御部２３の制御の下、後述する操作表示シート２１に添付されたＲＦＩＤ装置２１ａに対して電源電力を電磁的に非接触送信するとともに、当該ＲＦＩＤ装置２１ａから電磁的に非接触送信された特定情報であって、入力指示に切り換える切換指示を含む特定情報を受信して操作制御部２３に出力する機能を有し、本体ケースの例えば操作パネル部１１の下部に配置されている。
【００４７】
操作表示シート２１は、操作パネル部１１の液晶表示部１１ａに揃えて重ねられたとき、操作パネル部１１を覆うとともに、テンキー１３ａを覆わないよう操作パネル部１１の外形とほぼ同じ外形寸法を有する薄い紙又はプラスチックシートであり、図３に示すように、複数の操作項目を縦横に配列させて印刷表示されたものである。
【００４８】
すなわち、図３に示す操作表示シート２１は、操作項目としての「印刷部数」、「変倍率」、「カラー／モノクロ」、「用紙サイズ」、「ＦＡＸ番号」および「ＦＡＸ送信」が印刷等によって表示された例であり、例えば「印刷部数」部分を介してタッチスイッチシート１１ｂが押下されると、操作制御部２３によって「印刷部数」の例えば設定制御入力と認識される。
【００４９】
操作表示シート２１は、これが操作パネル部１１に重ねられたとき、送受信部１９に重なる位置にＲＦＩＤ装置２１ａを添付している。なお、ＲＦＩＤ装置２１ａは必須ではない。
【００５０】
ＲＦＩＤ装置２１ａは、送受信部１９から送信された電源電力によって動作するＩＣ回路であり、当該ＲＦＩＤ装置２１ａが添付された操作表示シート２１に特有の複数の操作項目の縦横の座標位置を特定する情報を含む特定情報を、入力指示に切り換える切換指示として送受信部１９に送信する機能を有している。なお、特定情報は予め個々のＲＦＩＤ装置２１ａ内の図示しないメモリに格納されている。
【００５１】
操作制御部２３は、画像形成装置Ａの主制御部１から制御の下、操作パネル部１１に例えば画像データの取込や印刷動作形態を表示制御するとともに、タッチスイッチシート１１ｂへのタッチ操作による入力指示を受け付け、主制御部１等に出力してこれを実行制御する機能を有する機能を有している。
【００５２】
また、操作制御部２３は、操作パネル部１１における入力指示を操作表示シート２１を介した入力指示に切り換える切換指示（（例えば「ＣＣＣ１１９」、「エンター」）があったとき、操作表示シート２１における対応する操作項目へのタッチ操作入力を判別し、主制御部１等に出力して操作項目に対応する動作を実行制御する機能を有する他、以下の機能を有している。
【００５３】
すなわち、操作制御部２３は、入力指示に切り換える切換指示があり、操作表示シート２１への操作入力があったとき、発音部１５を発音制御して操作入力の有無を聴覚的に示す機能を有するとともに、操作入力があった個々のテンキー１３ａに配置された発光部１７を個別に発光制御する機能を有している。
【００５４】
さらに、操作制御部２３は、ＲＦＩＤ装置２１ａが添付された操作表示シート２１が操作パネル部１１に重ねられたとき、操作表示シート２１に電源電力を送信制御するとともに、受信部１９にて受信された当該ＲＦＩＤ装置２１ａからの切換指示としての特定情報に基づき、重ねられた操作表示シート２１に配置された操作項目に対応する操作入力部として機能するよう、タッチスイッチシート１１ｂの動作を変更する機能を有している。
【００５５】
なお、個々の操作表示シート２１毎の特定情報が、どの表示位置のどのような操作項目に対応し当該するかの操作項目情報は、例えば画像形成装置Ａの記憶部５に予め記憶されており、操作制御部２３はそれを参照する。
【００５６】
次に、本発明に係る画像形成装置Ａにおける操作パネル制御装置Ｂの動作を簡単に説明する。
【００５７】
操作パネル部１１に図３のような操作表示シート２１を重ね、テンキー１３ａによって切換指示として例えば「ＣＣＣ１１９」および「エンター」と入力すると、操作制御部２３が、重ねられた操作表示シート２１に配置された操作項目の表示位置に対応するタッチスイッチシート１１ｂの領域について、当該操作項目への操作入力部として機能するよう変更制御する。
【００５８】
すなわち、タッチスイッチシート１１ｂの領域に割り当てられている座標情報と、操作表示シート２１に記載されている操作項目の座標情報が一致するように制御される。
【００５９】
なお、操作表示シート２１が操作パネル部１１に重ねられたとき、操作表示シート２１のＲＦＩＤ装置２１ａからの特定情報により、当該操作項目への操作入力部として機能するよう変更制御させることも可能である。
【００６０】
その後、テンキー１３ａの押圧操作により、例えば印刷部数の「１１」部数や拡大率の「１３１」％の入力設定が可能になるとともに、画像形成装置Ａとしての動作機能の入力実行が可能になるうえ、操作制御部２３の制御の下、発音部１５が操作入力を示すキー入力音を発音する。
【００６１】
例えば、図３に示すように、テンキー１３ａの「１」が押圧操作されると、「印刷部数設定です。現在１部となっています。部数を入力し、エンターキーを押してください。」と音声が流れ、聴覚的に確認可能となる。その際、テンキー１３ａの「１」が発光表示される。
【００６２】
そして、テンキー１３ａの「１」、「４」、「９」が押圧操作されると、「印刷部数は百、四十、九に設定されました。」といった音声が流れるとともに、テンキー１３ａの「１」、「４」、「９」が発光表示される。
【００６３】
このような本発明の操作パネル制御装置は、当該装置Ａの動作形態を表示するとともに、当該表示領域へのタッチ操作による入力指示を受け付ける操作パネル部１１と、この操作パネル部１１とは別に配置されその装置への入力指示を受け付ける複数の操作キー１３ａを有する操作キー群１３と、その装置に対する操作項目が予め表示され、その操作パネル部領域に重ねられる操作表示シート２１と、所定の切換指示があったとき、その操作パネル部１１に重ねられた操作表示シート２１における操作項目へのタッチ操作入力指示に基づき、当該操作項目を実行制御するとともに、そのタッチ操作入力指示に続き操作入力された操作キー（テンキー）１３ａからの操作指示を実行制御する操作制御部２３と、を具備している。
【００６４】
そのため、液晶画面が故障していても動作表示の確保が可能である一方、入力の必要な例えば設定値等を操作キー群１３からタッチスイッチシート１１ｂと同様に入力可能となるから、タッチスイッチシート１１ｂが正常に動作していてかつ液晶表示部１１ａが故障した場合、その修理又は取替えるまでの間に多少の期間を要しても、一時的に正常な入力処理が確保され、ユーザに不便を与え難い。
【００６５】
また、その操作パネル部領域に重ねられる操作表示シート２１を用いるから、操作表示シート２１における操作項目に対して種々の設定値等を入力し易く、正確な操作が可能である。なお、操作表示シート２１は表示の異なる任意の枚数で実施可能である。
【００６６】
さらに、操作キー群１３が、その操作パネル部１１に併設されたテンキー１３ａを含むものであるから、従来から一般に設けられた個々のテンキー１３ａを用いてその操作が可能となり、大幅な設計変更が不要で、コスト高を招き難い。
【００６７】
そして、上記操作キー群１３への操作入力を示すキー入力音を発音する発音体１５を設け、操作入力を説明する意味内容のメッセージを操作制御部２３で発音制御するから、操作表示シート２１における操作項目と個々のテンキー１３ａの操作結果を音響的に確認可能で、使い勝手が向上する。
【００６８】
さらに、個々のテンキー１３ａへの操作入力を示す発光部１７を設けて操作制御部２３で発光制御するから、操作表示シート２１における操作項目と個々のテンキー１３ａの操作結果を視覚的に確認可能で、使い勝手が向上するうえ、発音体１５による発音情報の聞き間違いも防止可能である。
【００６９】
さらにまた、上記操作制御部２３が、テンキー１３ａからの切換指示があったとき、そのテンキー１３ａの操作に応じ操作表示シート２１における対応する操作項目への操作入力と判別するから、操作項目が単に印刷表示された操作表示シートを用いる場合にも、操作キーからの入力指示に切り換え可能である。
【００７０】
そして、ＲＦＩＤ装置１３ａを添付した操作表示シート２１を用い、その特定情報を受信したとき、当該特定情報に対応する操作項目への操作入力と判別する構成では、操作表示シート２１を例えば操作パネル部１１に載置するだけで、切換指示の自動入力が可能で、使い勝手が向上する。
【００７１】
ところで、本発明の操作パネル制御装置Ｂにおいて、操作表示シート２１に対するタッチ操作入力指示に続き操作入力されるテンキー１３ａへの操作指示は、操作表示シート２１に対するタッチ操作入力指示に連続する操作指示のみならず、タッチ操作入力指示後の操作指示を含むものである。
【００７２】
さらに、本発明の操作パネル制御装置Ｂにおいて、発音体１５によって発音させるメッセージは、テンキー１３ａへの操作指示に基づき、本来は液晶表示部１１ａに表示させる値等を意味する内容であればよい。
【００７３】
なお、本発明の操作パネル制御装置Ｂを搭載した画像形成装置Ａにおいても、上述した操作パネル制御装置Ｂと同様の効果を有する。
【符号の説明】
【００７４】
１  主制御部
３  画像読取部
５  記憶部
７  印刷部（画像形成部）
９  通信部
１１  操作パネル部
１１ａ  液晶表示部
１１ｂ  タッチスイッチシート
１３  操作キー群
１３ａ  テンキー（操作キー）
１５  発音部
１７  発光部
１９  送受信部
２１  操作表示シート
２１ａ  ＲＦＩＤ装置
２３  操作制御部
Ａ  画像形成装置
Ｂ  操作パネル制御装置
【図１】
2012039346.tif 000003
【図２】
2012039346.tif 000004
【図３】
2012039346.tif 000005
【図４】
2012039346.tif 000006
【図５】
2012039346.tif 000007